(57)【要約】 【課題】ツーポイント眼鏡の構成に際し、レンズに対するヨロイやブリッジの連結部のガタツキを防止すると共に、連結部においてレンズ損傷を生じさせにくいレンズ連結装置を提供する。【解決手段】ツーポイント眼鏡を構成するに際し、ヨロイ１０の端部分及びブリッジの両端部を、折り返し部１５を介してレンズ２に連結する。折り返し部１５は、レンズ２の厚さ方向で見て対向する第１、第２の片１６，１７を具え、両者間に溝部１９を有する。第１、第２の片１６，１７の挿通孔２１，２２とレンズ２の止着孔３２を挿通するネジ軸２０を用いて、折り返し部１５をレンズ２に連結する。第１の片１６の先端に、レンズ２の側面２６ａに当接する当接片２７ａが設けられ、第２の片１７の先端にヨロイ１０又はブリッジが連設される。ネジ軸２０の端部分にナット３６を螺合し締め付けると、折り返し部１５が、溝部１９の幅を小さくするように弾性変形する。【選択図】図６
2013025182.tif 000002
【特許請求の範囲】
【請求項１】
左右のプラスチック製のレンズの内側の縁部分相互をブリッジで連結すると共に、該レンズの外側の縁部分に、テンプルの先端側に設けられたヨロイを連結してなる縁無し眼鏡におけるレンズ連結装置であって、
前記ブリッジの端部及び／又は前記ヨロイの端部には、Ｕ字状乃至Ｖ字状に一連に折曲形成された折り返し部が連設されており、該折り返し部は、前記レンズの厚さ方向で見て対向する第１の片と第２の片とを具え、該第１、第２の片間に、折り返しの端部で開放した溝部が形成されており、又、該第１、第２の片の夫々には、該溝部を横切るようにネジ軸を挿通させ得る挿通孔が設けられており、
前記ブリッジの端部に連設される前記折り返し部は、前記レンズに近い前記第１の片の先端に、前記レンズの内側の縁部分の側面に当接し得る回り止め防止片としての当接片が設けられる一方、前記レンズから遠い前記第２の片の先端は該ブリッジの前記端部に連設されており、
又、前記ヨロイの端部に連設される前記折り返し部は、前記レンズに近い前記第１の片の先端に、前記レンズの外側の縁部分の側面に当接し得る回り止め防止片としての当接片が設けられる一方、前記レンズから遠い前記第２の片の先端は該ヨロイの前記端部に連設されており、
前記ネジ軸が、前記第１、第２の片に設けられている両挿通孔を挿通すると共に前記レンズの前記縁部分に設けられている止着孔に挿通せしめられ、該ネジ軸の端部分にナットが螺合され締め付けられることにより前記折り返し部が、前記溝部の溝幅を小さくするように弾性変形することを特徴とする縁無し眼鏡におけるレンズ連結装置。
【請求項２】
左右のプラスチック製のレンズの内側の縁部分相互をブリッジで連結すると共に、該レンズの外側の縁部分に、テンプルの先端側に設けられたヨロイを連結してなる縁無し眼鏡におけるレンズ連結装置であって、
前記ブリッジの端部及び／又は前記ヨロイの端部には、Ｕ字状乃至Ｖ字状に一連に折曲形成された折り返し部が連設されており、該折り返し部は、前記レンズの厚さ方向で見て対向する第１の片と第２の片とを具え、該第１、第２の片間に、折り返しの端部で開放した溝部が形成されており、又、該第１、第２の片の夫々には、該溝部を横切るようにネジ軸を挿通させ得る挿通孔が設けられており、
前記ブリッジの端部に連設される前記折り返し部は、前記レンズに近い前記第１の片の先端に、前記レンズの内側の縁部分の側面に欠切形成してなる係合凹部と嵌合し得る回り止め防止片としての嵌合部が設けられる一方、前記レンズから遠い前記第２の片の先端は該ブリッジの前記端部に連設されており、
又、前記ヨロイの端部に連設される前記折り返し部は、前記レンズに近い前記第１の片の先端に、前記レンズの外側の縁部分の側面に欠切形成してなる係合凹部と嵌合し得る回り止め防止片としての嵌合部が設けられる一方、前記レンズから遠い前記第２の片の先端は該ヨロイの前記端部に連設されており、
前記ネジ軸が、前記第１、第２の片に設けられている両挿通孔を挿通すると共に前記レンズの前記縁部分に設けられている止着孔に挿通せしめられ、該ネジ軸の端部分にナットが螺合され締め付けられることにより前記折り返し部が、前記溝部の溝幅を小さくするように弾性変形することを特徴とする縁無し眼鏡におけるレンズ連結装置。
【請求項３】
左右のプラスチック製のレンズの内側の縁部分相互をブリッジで連結すると共に、該レンズの外側の縁部分に、テンプルの先端側に設けられたヨロイを連結してなる縁無し眼鏡におけるレンズ連結装置であって、
前記ブリッジの端部及び／又は前記ヨロイの端部には、Ｕ字状乃至Ｖ字状に一連に折曲形成された折り返し部が連設されており、該折り返し部は、前記レンズの厚さ方向で見て対向する第１の片と第２の片とを具え、該第１、第２の片間に、折り返しの端部で開放した溝部が形成されており、又、該第１、第２の片の夫々には、該溝部を横切るようにネジ軸を挿通させ得る挿通孔が設けられており、
前記ブリッジの端部に連設される前記折り返し部は、前記レンズに近い前記第１の片の先端に、前記レンズの内側の縁部分において前記止着孔に隣り合わせて設けた係合孔に挿入させ得る回り止め防止片としての回り止め軸が設けられる一方、前記レンズから遠い前記第２の片の先端は該ブリッジの前記端部に連設されており、
又、前記ヨロイの端部に連設される前記折り返し部は、前記レンズに近い前記第１の片の先端に、前記レンズの外側の縁部分において前記止着孔に隣り合わせて設けた係合孔に挿入させ得る回り止め防止片としての回り止め軸が設けられる一方、前記レンズから遠い前記第２の片の先端は該ヨロイの前記端部に連設されており、
前記ネジ軸が、前記第１、第２の片に設けられている両挿通孔を挿通すると共に前記レンズの前記縁部分に設けられている止着孔に挿通せしめられ、該ネジ軸の端部分にナットが螺合され締め付けられることにより前記折り返し部が、前記溝部の溝幅を小さくするように弾性変形することを特徴とする縁無し眼鏡におけるレンズ連結装置。
【請求項４】
前記第１の片に設けられている前記挿通孔の径が、前記第２の片に設けられている前記挿通孔の径よりも稍大きいことを特徴とする請求項１〜３の何れかに記載の縁無し眼鏡におけるレンズ連結装置。
【請求項５】
前記ヨロイと前記折り返し部と、前記回り止め防止片の全体が、弾力性を有する素材からなる１本の線材を折曲して形成されていることを特徴とする請求項１〜３の何れかに記載の縁無し眼鏡におけるレンズ連結装置。
【請求項６】
前記ブリッジと前記折り返し部と前記回り止め防止片の全体が、弾力性を有する素材からなる１本の線材を折曲して形成されていることを特徴とする請求項１〜３の何れかに記載の縁無し眼鏡におけるレンズ連結装置。
【請求項７】
前記第１の片と前記第２の片の夫々には、その中央部分に、前記溝部を横切るようにネジ軸を挿通させ得る挿通孔が設けられると共に、前記縁無し眼鏡を正面から見た時に前記第２の片が前記第１の片を覆い隠すように該第２の片の上下方向の幅を大きく設定したことを特徴とする請求項１〜６の何れかに記載の縁無し眼鏡におけるレンズ連結装置。
【発明の詳細な説明】
【技術分野】
【０００１】
本発明は、ブリッジの端部分やテンプルの端部分をレンズに連結してなる縁無し眼鏡におけるレンズ連結装置に関するものである。
【背景技術】
【０００２】
左右のプラスチック製のレンズの内側の縁部分相互をブリッジで連結すると共に、該レンズの外側の縁部分にテンプルを連結した構成の所謂ツーポイント眼鏡と称されている縁無し眼鏡におけるレンズ連結装置は、例えば特許文献１に記載されているように、従来、次のように構成されるのが一般的であった。
【０００３】
即ち該レンズ連結装置ａは、例えば図２４〜２５に示すように、前記テンプルｂの先端に設けられたヨロイｃの端部分に、前記レンズｄの外側の縁部分ｅに対する連結部ｆが設けられると共に、前記ブリッジｇの両端部分に、前記レンズｄ，ｄの内側の縁部分ｈ，ｈに対する連結部ｊ，ｊが設けられていた。そして該連結部ｆは、図２５に示すように、前記ヨロイｃの端部ｉに、前記レンズｄの側面ｍと当接する当接片ｎが直接にロウ付けされると共に、該当接片ｎに、レンズｄの前側の面ｐの内方側に突出し且つ内端部分ｑに挿通孔ｒが設けられた連結片ｓがロウ付けされていた。又、前記連結部ｊは、図２５に示すように、前記ブリッジｇの端部ｋに、前記レンズｄの側面ｍと当接する当接片ｎが直接にロウ付けされると共に、該当接片ｎに、レンズｄの前側の面ｐの内方側に突出し且つ内端部分ｑに挿入孔ｒが設けられた連結片ｓがロウ付けされていた。
【０００４】
かかる構成の連結部ｆ，ｊ，ｊをレンズｄに連結するには、図２５に示すように、該レンズｄに設けた止着孔ｔの前端側から、樹脂ワッシャｖを介在させて連結ネジｗを挿通すると共に、該連結ネジｗの、レンズｄの後側の面ｘで突出するネジ軸部ｙに樹脂ワッシャｚを装着し、該樹脂ワッシャｚから突出した部分にナットａ１を螺合し、該ナットａ１を、該前後の樹脂ワッシャｖ，ｚを所要に弾性変形させるように締め付け、これにより、前記連結部ｆ，ｊ，ｊをレンズｄに固定していた。そして該固定状態においては、前記側面ｍに当接状態にある前記当接片ｎの係合作用によって、前記連結部ｆ，ｊ，ｊの回り止めを図っていた。なお、前記止着孔ｔの前後側に樹脂ワッシャｖ，ｚを介在させていたのは、該連結部ｆ，ｊ，ｊがレンズｄを損傷しないようにするためであった。しかしながら、かかる従来の縁無し眼鏡には次のような問題点があった。
【０００５】
(1) 前記ヨロイｃの連結部ｆは、該ヨロイｃの端部ｉに前記当接片ｎを直接にロウ付けしており、又、前記ブリッジｇの連結部ｊは、該ブリッジｇの端部ｋに前記当接片ｎを直接にロウ付けしていたため、眼鏡を着用する際等において左右のテンプルｂ，ｂを拡げたときに、図２６に示すように、該当接片ｎが前記側面ｍから離れるように変形し、該当接片ｎと該側面ｍとの当接が不完全となって両者の当接部分ｂ１にガタツキが生じやすかった。又、連結部ｆ，ｊ，ｊをレンズｄに固定するに際しては、前後の樹脂ワッシャｖ，ｚを所要に弾性変形させるようにナットａ１を締め付けていたのであるが、弾性圧縮状態にある樹脂ワッシャｖ，ｚは、その弾性圧縮状態が暫く継続すると当初の締め付け強さに樹脂が馴染んでその弾力性が劣化し、結果的にナットａ１が緩んで連結部ｆ，ｊ，ｊにガタツキが生じた。このようなガタツキが発生すると前記連結部の回り止めが達成されなくなり、眼鏡としての機能が失われることになった。
【０００６】
(2) 又、眼鏡を着用する際等において左右のテンプルｂ，ｂを拡げたときの荷重が前記当接片ｎの当接部に集中するため、レンズｄの側面ｍが該当接片ｎによって局部的に無理に押圧され、これが原因してレンズ欠けやレンズ割れを生じさせる等、レンズ損傷を招く恐れがあった。特に、着用眼鏡が他物にぶつかったときには、このような恐れが大きかった。又、ロウ付け箇所のロウ離れを生じさせる恐れもあった。
【０００７】
なお、かかるツーポイント眼鏡の他のものとしては、前記当接片ｎをレンズｄの側面ｍに当接させることに代えて、例えば特許文献２が開示するように、図２７〜２８に示す如く、レンズの側面ｍを欠切して形成した係合溝ｃ１に前記連結部ｆ，ｊ，ｊに設けた嵌合部ｄ１を嵌め入れて該連結部ｆ，ｊ，ｊを回り止めするものや、例えば特許文献３が開示するように、図２９に示す如く、前記止着孔ｔに隣り合わせて設けた係合孔ｅ１に前記連結部ｆ，ｊ，ｊに設けた回り止め軸ｆ１を挿入して該連結部ｆ，ｊ，ｊを回り止めするものが提案されているが、かかるツーポイント眼鏡においても、前記ヨロイｃの端部ｉや前記ブリッジｇの端部ｋ，ｋに前記嵌合部ｄ１や前記回り止め軸ｆ１が直接に設けられていたため、前記と同様にナットａ１が緩んで連結部ｆ，ｊ，ｊにガタツキを発生させたり、前記と同様に、該係合部ｄ１や該回り止め軸ｆ１の当接部分に無理な応力が作用してレンズ欠けやレンズ割れを生じさせる等、レンズ損傷を招く恐れがあった。又、ロウ付け箇所のロウ離れを生じさせる恐れもあった。
【先行技術文献】
【特許文献】
【０００８】
【特許文献１】実用新案登録第３００４１３０号公報
【特許文献２】実用新案登録第３００８２１３号公報
【特許文献３】実用新案登録第３００６１１３号公報
【発明の概要】
【発明が解決しようとする課題】
【０００９】
本発明は、前記従来の問題点に鑑みて開発されたものであり、ヨロイの端部分やブリッジの端部分をネジ連結手段によってレンズに連結して、所謂ツーポイント眼鏡等の縁無し眼鏡を構成するに際し、ネジの緩みを抑制して該端部分のレンズに対する連結状態にガタツキが発生するのを防止できると共にレンズ欠けやレンズ割れ等のレンズ損傷を生じさせにくい、縁無し眼鏡におけるレンズ連結装置の提供を課題とするものである。又、構造簡素で製造が容易であり短納期で提供できる、縁無し眼鏡におけるレンズ連結装置の提供を課題とするものである。
【課題を解決するための手段】
【００１０】
前記課題を解決するため本発明は以下の手段を採用する。
即ち本発明に係る縁無し眼鏡におけるレンズ連結装置（以下レンズ連結装置という）は、左右のプラスチック製のレンズの内側の縁部分相互をブリッジで連結すると共に、該レンズの外側の縁部分に、テンプルの先端側に設けられたヨロイを連結してなる縁無し眼鏡におけるレンズ連結装置であって、前記ブリッジの端部及び／又は前記ヨロイの端部には、Ｕ字状乃至Ｖ字状に一連に折曲形成された折り返し部が連設されており、該折り返し部は、前記レンズの厚さ方向で見て対向する第１の片と第２の片とを具え、該第１、第２の片間に、折り返しの端部で開放した溝部が形成されており、又、該第１、第２の片の夫々には、該溝部を横切るようにネジ軸を挿通させ得る挿通孔が設けられている。前記ブリッジの端部に連設される前記折り返し部は、前記レンズに近い前記第１の片の先端に、前記レンズの内側の縁部分の側面に当接し得る回り止め防止片としての当接片が設けられる一方、前記レンズから遠い前記第２の片の先端は該ブリッジの前記端部に連設されており、又、前記ヨロイの端部に連設される前記折り返し部は、前記レンズに近い前記第１の片の先端に、前記レンズの外側の縁部分の側面に当接し得る回り止め防止片としての当接片が設けられる一方、前記レンズから遠い前記第２の片の先端は該ヨロイの前記端部に連設されている。そして、前記ネジ軸が、前記第１、第２の片に設けられている両挿通孔を挿通すると共に前記レンズの前記縁部分に設けられている止着孔に挿通せしめられ、該ネジ軸の端部分にナットが螺合され締め付けられることにより前記折り返し部が、前記溝部の溝幅を小さくするように弾性変形することを特徴とするものである。
【００１１】
本発明に係るレンズ連結装置の他の態様は、左右のプラスチック製のレンズの内側の縁部分相互をブリッジで連結すると共に、該レンズの外側の縁部分に、テンプルの先端側に設けられたヨロイを連結してなる縁無し眼鏡におけるレンズ連結装置であって、前記ブリッジの端部及び／又は前記ヨロイの端部には、Ｕ字状乃至Ｖ字状に一連に折曲形成された折り返し部が連設されており、該折り返し部は、前記レンズの厚さ方向で見て対向する第１の片と第２の片とを具え、該第１、第２の片間に、折り返しの端部で開放した溝部が形成されており、又、該第１、第２の片の夫々には、該溝部を横切るようにネジ軸を挿通させ得る挿通孔が設けられている。そして、前記ブリッジの端部に連設される前記折り返し部は、前記レンズに近い前記第１の片の先端に、前記レンズの内側の縁部分の側面に欠切形成してなる係合凹部と嵌合し得る回り止め防止片としての嵌合部が設けられる一方、前記レンズから遠い前記第２の片の先端は該ブリッジの前記端部に連設されている。又、前記ヨロイの端部に連設される前記折り返し部は、前記レンズに近い前記第１の片の先端に、前記レンズの外側の縁部分の側面に欠切形成してなる係合凹部と嵌合し得る回り止め防止片としての嵌合部が設けられる一方、前記レンズから遠い前記第２の片の先端は該ヨロイの前記端部に連設されている。そして、前記ネジ軸が、前記第１、第２の片に設けられている両挿通孔を挿通すると共に前記レンズの前記縁部分に設けられている止着孔に挿通せしめられ、該ネジ軸の端部分にナットが螺合され締め付けられることにより前記折り返し部が、前記溝部の溝幅を小さくするように弾性変形することを特徴とするものである。
【００１２】
本発明に係るレンズ連結装置のその他の態様は、左右のプラスチック製のレンズの内側の縁部分相互をブリッジで連結すると共に、該レンズの外側の縁部分に、テンプルの先端側に設けられたヨロイを連結してなる縁無し眼鏡におけるレンズ連結装置であって、前記ブリッジの端部及び／又は前記ヨロイの端部には、Ｕ字状乃至Ｖ字状に一連に折曲形成された折り返し部が連設されており、該折り返し部は、前記レンズの厚さ方向で見て対向する第１の片と第２の片とを具え、該第１、第２の片間に、折り返しの端部で開放した溝部が形成されており、又、該第１、第２の片の夫々には、該溝部を横切るようにネジ軸を挿通させ得る挿通孔が設けられている。又、前記ブリッジの端部に連設される前記折り返し部は、前記レンズに近い前記第１の片の先端に、前記レンズの内側の縁部分において前記止着孔に隣り合わせて設けた係合孔に挿入させ得る回り止め防止片としての回り止め軸が設けられる一方、前記レンズから遠い前記第２の片の先端は該ブリッジの前記端部に連設されている。又、前記ヨロイの端部に連設される前記折り返し部は、前記レンズに近い前記第１の片に、前記レンズの外側の縁部分において前記止着孔に隣り合わせて設けた係合孔に挿入させ得る回り止め防止片としての回り止め軸が設けられる一方、前記レンズから遠い前記第２の片の先端は該ヨロイの前記端部に連設されている。そして、前記ネジ軸が、前記第１、第２の片に設けられている両挿通孔を挿通すると共に前記レンズの前記縁部分に設けられている止着孔に挿通せしめられ、該ネジ軸の端部分にナットが螺合され締め付けられることにより前記折り返し部が、前記溝部の溝幅を小さくするように弾性変形することを特徴とするものである。
【００１３】
前記の各レンズ連結装置において、前記第１の片に設けられている前記挿通孔の径を、前記第２の片に設けられている前記挿通孔の径よりも稍大きく設定するのがよい。
【００１４】
又、前記の各レンズ連結装置において、前記ヨロイと前記折り返し部と、前記回り止め防止片の全体を、弾力性を有する素材からなる１本の線材を折曲して形成するのがよい。  
【００１５】
又、前記の各レンズ連結装置において、前記ブリッジと前記折り返し部と前記回り止め防止片の全体を、弾力性を有する素材からなる１本の線材を折曲して形成するのがよい。  
【００１６】
又、前記の各レンズ連結装置において、前記第１の片と前記第２の片の夫々について、その中央部分に、前記溝部を横切るようにネジ軸を挿通させ得る挿通孔が設けられたものとし、前記縁無し眼鏡を正面から見た時に前記第２の片が前記第１の片を覆い隠すように該第２の片の上下方向の幅を大きく設定するのがよい。
【発明の効果】
【００１７】
本発明は以下の如き優れた効果を奏する。
(1) 本発明に係るレンズ連結装置は、ブリッジの端部及び／又はヨロイの端部に、Ｕ字状乃至Ｖ字状に折曲形成された折り返し部が連設されており、該折り返し部の、レンズに近い第１の片の先端に、回り止め防止片としての、当接片や嵌合部、回り止め軸が設けられる一方、前記レンズから遠い第２の片の先端は前記ブリッジの端部又は前記ヨロイの端部に連設されており、該折り返し部が、該第１、第２の片に設けられている挿通孔を挿通するネジ軸とナットを用いてレンズに取り付けられ該ナットの締め付けによって該折り返し部が、前記溝部の溝幅を小さくするように弾性変形されるように構成されている。
従って本発明によるときは、該折り返し部の弾性復元作用が効果的に発揮されて前記ナットが緩みにくいため、ヨロイやブリッジのレンズに対する連結状態にガタツキが生じにくく、前記回り止め防止片の回り止め防止作用を安定的に持続させることができる。
又、前記ヨロイの端部や前記ブリッジの端部は、前記回り止め防止片に直接に設けられているのではなく、該回り止め防止片が設けられている第１の片とは別個の第２の片の先端に連設されている。かかることから、眼鏡着用時等においてテンプルを拡げた際や着用眼鏡に他物が当る等して前記ヨロイや前記ブリッジを外側に向けて拡げる外力が作用した場合、前記第２の片は変形しても前記第１の片は変形しにくい。それ故、前記回り止め防止片がレンズに対して無理な押圧力を作用させにくく、レンズ欠けやレンズ割れ等のレンズ損傷を生じさせにくい。
そして、本発明を構成する前記折り返し部は折曲形成されているためにその製造が容易である。
【００１８】
(2) 折り返し部をレンズに取り付けるためのネジ軸は該折り返し部と独立しているため、該ネジ軸が損傷した場合はその交換が容易である。
【００１９】
(3) 特に、前記第１の挿通孔の径を、前記第２の挿通孔の径よりも大きく設定する場合は、前記ナットの締め付けによって前記折り返し部の溝幅を小さくする際に前記ネジ軸が傾くときも、該ネジ軸が該第１の片の挿通孔の内周縁に部分的に押圧状態となるのを、該第１の片の挿通孔の径の該ネジ軸の径に対する余裕分で防止でき、前記折り返し部の弾性変形（即ち、前記ナットの締め付け）をより円滑に行ない得ることとなる。
【００２０】
(4) 特に、前記ヨロイと前記折り返し部と前記回り止め防止片の全体を、弾力性を有する素材からなる１本の線材を折曲して形成し、或いは、前記ブリッジと前記折り返し部と前記回り止め防止片の全体を、弾力性を有する１本の線材を折曲して一連に形成するときは、これらにはロウ付け箇所が全く存在しないために、その製造が容易でありレンズ連結装置を短納期で提供できることとなる。
【００２１】
(5) 前記第１の片と前記第２の片の夫々について、その中央部分に、前記溝部を横切るようにネジ軸を挿通させ得る挿通孔が設けられたものとし、前記縁無し眼鏡を正面から見た時に前記第２の片が前記第１の片を覆い隠すように該第２の片の上下方向の幅を大きく設定するときは、前記折り返し部の弾性変形をより効果的に行なわせることができると共に、前記縁無し眼鏡を正面から見た時に前記第２の片が前記第１の片を覆い隠す状態となることから、レンズ連結装置によるレンズ連結部分の見栄え向上が図られることとなる。
【図面の簡単な説明】
【００２２】
【図１】本発明に係る連結装置が応用された縁無し眼鏡を示す斜視図である。
【図２】そのテンプル側のレンズ連結装置をその使用状態で示す斜視図である。
【図３】その分解斜視図である。
【図４】そのレンズ連結装置を構成する折り返し部の構成を示す斜視図である。
【図５】ヨロイの端部分をレンズの外側の縁部分に連結するに際し、折り返し部をレンズに取り付けた状態を示す断面図である。
【図６】ヨロイをレンズに連結した状態を示す断面図である。
【図７】その正面図とその断面図である。
【図８】レンズの側面に対する当接片の当接状態を示す説明図である。
【図９】ナットを締め付けて折り返し部の溝部の溝幅を小さくする作業工程を説明する断面図である。
【図１０】ブリッジの両端部分をレンズに連結するレンズ連結装置の構成を説明する分解斜視図である。
【図１１】ブリッジの両端部分をレンズの内側の縁部分に連結するに際し、折り返し部をレンズに取り付けた状態を示す断面図である。
【図１２】折り返し部をレンズに取り付け、その状態でナットを締め付けてブリッジの両端部分をレンズに連結した状態を示す断面図である。
【図１３】ヨロイの端部分をレンズの外側の縁部分に連結するに際し、レンズの側面に設けた係合凹部に嵌合部を嵌め入れてヨロイを回り止めする構成のレンズ連結装置を示す分解斜視図と、ヨロイをレンズに連結した状態を示す断面図である。
【図１４】ブリッジの端部分をレンズの内側の縁部分に連結するに際し、レンズの側面に設けた係合凹部に嵌合部を嵌め入れてブリッジを回り止めする構成のレンズ連結装置を示す分解斜視図と、ブリッジの端部分をレンズに連結した状態を示す断面図である。
【図１５】ヨロイの端部分をレンズの外側の縁部分に連結するに際し、レンズの縁部分に設けた係合孔に回り止め軸を挿入してヨロイを回り止めする構成のレンズ連結装置を示す分解斜視図と、ヨロイの端部分をレンズに連結した状態を示す断面図である。
【図１６】ブリッジの両端部分をレンズの内側の縁部分に連結するに際し、レンズの縁部分に設けた係合孔に回り止め軸を挿入してブリッジを回り止めする構成のレンズ連結装置を示す分解斜視図と、ブリッジの端部分をレンズに連結した状態を示す断面図である。
【図１７】ヨロイの端部分をレンズに連結するに際し、折り返し部をレンズの後側の面に取り付けるタイプのレンズ連結装置を示す断面図である。
【図１８】ブリッジの両端部分をレンズに連結するに際し、折り返し部をレンズの後側の面に取り付けるタイプのレンズ連結装置を示す断面図である。
【図１９】レンズの側面に設けた係合溝に係合部を嵌め入れて回り止めする構成のレンズ連結装置の他の態様を示す断面図である。
【図２０】レンズの縁部分に設けた係合孔に回り止め軸を挿入して回り止めする構成のレンズ連結装置の他の態様を示す断面図である。
【図２１】本発明に係るレンズ連結装置が、ブリッジとレンズの連結のためだけに応用されてなる縁無し眼鏡を示す斜視図である。
【図２２】本発明に係るレンズ連結装置が、ブリッジとレンズの連結のためだけに応用されてなる縁無し眼鏡の他の態様（前掛け眼鏡）を示す正面図と側面図である。
【図２３】本発明に係るレンズ連結装置が、ヨロイとレンズの連結のためだけに応用されてなる縁無し眼鏡を示す正面図である。
【図２４】従来のツーポイント眼鏡におけるレンズ連結装置の一例を示す正面図である。
【図２５】その断面図である。
【図２６】従来のレンズ連結装置の問題点を説明する説明図である。
【図２７】レンズの側面に設けた係合凹部に嵌合部を嵌め入れてヨロイ、ブリッジを回り止めする従来のレンズ連結装置の構成を示す断面図である。
【図２８】その係合凹部に嵌合部を嵌め入れてヨロイの端部分とブリッジの端部分をレンズに連結した状態を示す断面図である。
【図２９】レンズの縁部分に設けた係合孔に回り止め軸を挿入してヨロイ、ブリッジを回り止めする従来のレンズ連結装置を示す断面図である。
【発明を実施するための形態】
【実施例１】
【００２３】
図１において、本発明に係る縁無し眼鏡におけるレンズ連結装置（以下レンズ連結装置という）１は、左右のプラスチック製のレンズ２，２の内側の縁部分３，３相互をブリッジ５で連結すると共に、該レンズ２の外側の縁部分６に、テンプル７を連結した構成の所謂ツーポイント眼鏡と称されている縁無し眼鏡９を構成するに際して、該テンプル７の先端側に設けられたヨロイ１０の端部分１１及び前記ブリッジ５の両端部分１２，１２を該レンズ２に連結するものである。
【００２４】
前記ヨロイ１０に関してのレンズ連結装置１は、図２〜６に示すように、該ヨロイ１０の端部１３に、Ｕ字状乃至Ｖ字状に一連に折曲形成された折り返し部１５が連設されている。該折り返し部１５は、前記レンズ２の厚さ方向で見て対向する第１の片１６と第２の片１７とを具える。該第１、第２の片１６，１７は、本実施例においては左右方向に延長しており、該第１、第２の片１６，１７間に、折り返しの端部で開放した（本実施例においては、左右方向の外方向に向けて開放した）溝部１９が形成されている。又、該第１、第２の片１６，１７の夫々には、該溝部１９を横切るようにネジ軸２０を挿通させ得る挿通孔２１，２２が設けられると共に、前記レンズ２の前側の面２３に近い前記第１の片１６の先端２５には、前記レンズ２の外側の縁部分６の側面２６ａに当接し得る回り止め防止片２７としての当接片２７ａが設けられる一方、前記第２の片１７の先端２９は前記ヨロイ１０の端部１３に連設されている。本実施例においては、例えば図３、図７に示すように、該端部１３に対する該先端２９の連設部分において、その上下の縁部分を対向状態に切欠６０，６０して幅狭連結部６１が形成されている。
【００２５】
そして前記ネジ軸２０が、図６に示すように、その頭部３０が前記第２の片１７の前面部３１で支持された状態で、前記両挿通孔２１，２２を挿通すると共に前記レンズ２の外側の縁部分６に設けられている止着孔３２に挿通せしめられ、前記レンズ２の後側の面３３から突出したネジ軸部（ネジ軸２０の端部分）３５にナット３６が螺合され締め付けられることにより、前記折り返し部１５が、前記溝部１９の溝幅を小さくするように弾性変形されるようになされている。
【００２６】
本実施例においては図３〜５に示すように、前記ヨロイ１０と、前記折り返し部１５と、前記当接片２７ａの全体が、例えばベーターチタン等の弾力性を有し且つ強度に優れる素材からなる細長な１本の板状を呈する線材を適宜折曲して形成されており、ロウ付け箇所は全く存在しない。前記折り返し部１５は、その上下方向の幅が例えば３ｍｍ程度に設定されて例えばＵ字状に一連に折曲されており、前記第１、第２の片１６，１７間の溝部１９は、図５に示すように、その溝底３７側から開放端３９に向けて稍拡大している。そして、前記ナット３６が締め付けられた状態では、例えば図６に示すように、該第１、第２の片１６，１７が平行状態を呈するようになされている。該溝部１９の溝底３７寄りの溝幅は例えば０．７ｍｍ程度に設定されると共にその開放端３９側の溝幅は例えば１．２ｍｍ程度に設定されている。
【００２７】
そして該第１、第２の片１６，１７の夫々には、その中央部分に、該溝部１９を横切るように前記ネジ軸２０を挿通させ得る前記両挿通孔２１，２２が、両者の孔心を前後方向にして設けられている。該両挿通孔２１，２２は前記ネジ軸２０の径よりも若干大きく形成されている。本実施例においては、前記第１の片１６の挿通孔２１の径を前記第２の片１７の挿通孔２２の径よりも稍大きくして、ネジ軸２０の挿通に余裕をもたせることとしている。例えば、前記ネジ軸２０の径を１．４ｍｍに、前記第２の片１７の挿通孔２１の径を１．４５ｍｍに、前記第１の片１６の挿通孔２２の径を１．５ｍｍに設定している。  
【００２８】
又、本実施例においては図７（Ａ）に示すように、前記第２の片１７の中央部分３８が、上下に張り出し部４０，４０を有して上下方向に拡大しており、且つ、該張り出し部４０，４０の先端部分４０ａ，４０ａは、図７（Ｂ）に示すように、前記溝部１９内に屈曲されている。そして、該中央部分３８の前面部３１には、例えば四角形状の前記頭部３０を嵌め入れる四角形状の座繰り４１（図３）が設けられている。この座繰り４１は、該中央部分３８が該上下の張り出し部４０，４０によって上下方向に拡大しているために、寸法的に無理なく設けることができる。又、該中央部分３８がこのように上下方向に拡大していることから、前記縁無し眼鏡９を正面から見た時に、前記第２の片１７が前記第１の片１６を覆い隠す。このように、正面視で第１の片１６が見えないことから、レンズ連結装置１によるレンズ連結部分の見栄え向上が図られることとなる。
【００２９】
又、前記当接片２７ａは、本実施例においては図２、図８に示すように、その上下端４２，４３で前記側面２６ａに当接し得るように湾曲されている。これによって該当接片２７ａは、該側面２６ａに、より確実に当接できる。
【００３０】
然して図５に示すように、前記ネジ軸２０を前記両挿通孔２２，２１に挿通させると共に前記第１の片１６の挿通孔２１から突出したネジ軸部３５に、例えばナイロン系の樹脂ワッシャ４５を装着して後、該突出したネジ軸部３５を前記外側の縁部分６に設けられている前記止着孔３２に挿通させる。この状態で、前記第１の片１６が前記樹脂ワッシャ４５を介して前記レンズ２の前側の面２３に当接し且つ前記当接片２７ａが前記外側の縁部分６の側面２６ａに当接状態となる。そしてこの状態で、前記折り返し部１５は図３〜４に示すと同様の自由状態にあって、その溝部１９の溝幅はその溝底３７からその開放端３９に向けて稍拡がっている。
【００３１】
その後、図６に示すように、該レンズ２の後側の面３３から突出したネジ軸部３５に例えばナイロン系の樹脂ワッシャ４６を装着すると共に、該ネジ軸部（ネジ軸２０の端部分）３５にナット３６を螺合し締め付ける。前記のように、四角形状の座繰り４１に四角形状の頭部３０が嵌め入れられているため、該ナット３６を締め付ける際にネジ軸２０が回り止めされる。該ナット３６を締め付けるに伴い、前記第２の片１７の先端２９が前記第１の片１６に向けて接近されることにより、前記折り返し部１５が、前記溝部１９の溝幅を小さくするように弾性変形され、最終的には例えば図６に示すように、第１、第２の片１６，１７が略平行状態となる。
【００３２】
かかる折り返し部１５の弾性変形は、前記第１の片１６の挿通孔２１の径が前記第２の片１７の挿通孔２２の径に比して稍大きく形成されているため、該溝部１９の溝幅が小さくなることに伴って前記ネジ軸２０の軸線４８が図９（Ａ）に示す状態から図９（Ｂ）に示す状態に傾く（矢印Ｆで示す）ときにも、該ネジ軸２０が該第１の片１６の挿通孔２１の内周縁４８に部分的に押圧状態となるのを該第１の片１６の挿通孔２１の径のネジ軸２０の径に対する余裕分で防止でき、ナット３６の締め付けをより円滑に行ない得ることとなる。
【００３３】
又、前記両挿通孔２１，２２が、前記第１、第２の片１６，１７の中央部分に設けられているため、前記折り返し部１５は、該第１、第２の片１６，１７がその中央部分４７，４９でネジ軸２０で連結された状態となる。従って、該折り返し部１５の弾性変形によるバネ作用をより効果的に発揮させることができる。
【００３４】
このようにして、前記ヨロイ１０の端部分１１が前記レンズ２の外側の縁部分６に連結される。かかる連結に用いる前記ネジ軸２０の長さは、使用するレンズ２の各種厚さに応じられるようにするために比較的長く設定されている。図６においては、前記ナット３６を締め付けた後に該ナット３６から突出するネジ軸部分２０ａを切除した状態が示されている。この連結状態においては、前記折り返し部１５が前記のように弾性変形されているため、その弾性復元作用によって、前記ネジ軸２０のネジ面と前記ナット３６のネジ面とが圧接状態となる。それ故、該ナット３６が緩みにくく、前記側面２６ａに対する前記当接片２７ａの当接状態が安定的に保持される。従って、前記ヨロイ１０の前記レンズ２に対する連結状態に、従来のような当接片２７ａの当接不良に起因するガタツキが生じず、該当接片２７ａの回り止め防止作用を安定的に持続させることができる。
【００３５】
又前記ヨロイ１０は、従来のように前記当接片２７ａに直接に設けられているのではなく、図６に示すように、該当接片２７ａが設けられている第１の片１６とは別個の第２の片１７の先端２９に連設されている。かかることから、眼鏡着用時等においてテンプル７を拡げた際や着用眼鏡に他物が当って前記ヨロイ１０を外側に向けて拡げる外力が作用した場合、前記第２の片１７は、前記ネジ軸２０の基端側５９を支点として、それよりも先側の部分１７ａが変形しても前記第１の片１６は変形しにくい。それ故、前記当接片２７ａがレンズ２に対して無理な押圧力を作用させず、レンズ２が欠けたり割れたりする等のレンズ損傷を防止できることになる。又、前記当接片２７ａによる当接係合作用が確実に保持されるために前記ヨロイ１０の回り止めが確実に図られる。そして、前記ネジ軸２０は前記折り返し部１５と独立しているため、該ネジ軸２０が損傷した場合はこれを交換できる。
【００３６】
なお本実施例においては、図７（Ａ）に基づいて前記したように、前記ヨロイ１０の端部１３に対する前記第２の片１７の先端２９の連設部分を対向状態に欠切して幅狭連結部６１を形成しているため、前記ヨロイ１０を外側に向けて拡げる等の外力が作用したときに、該外力による変形の一部分を該幅狭連結部６１で吸収できることになる。これによって、前記先側の部分１７ａの変形をより小さく抑制できることとなる。
【００３７】
次に、前記ブリッジ５の両端部５０，５０に前記折り返し部１５，１５を連設してなるレンズ連結装置１について説明する。該折り返し部１５の構成は前記と同様であり、相違する点は、図１０〜１２に示すように、該折り返し部１５を構成する第１の片１６の先端２５に、前記レンズ２の内側の縁部分３の側面２６ｂに当接し得る当接片２７ｂとしての回り止め防止片２７を設ける一方、第２の片１７の先端２９を前記ブリッジ５の端部５０に連設した点にある。本実施例においては、例えば図１０に示すように、該端部５０に対する該先端２９の連設部分において、その上の縁部分を下方に向けて切欠６２して幅狭連結部６３が形成されている。そして本実施例においては図１０に示すように、該当接片２７ｂの後部の稍下側部位に、鼻当５３を取り付けるためのアーム５４の上端５５が一連に設けられている。本実施例においては、前記ブリッジ５と、前記折り返し部１５と、前記当接片２７ｂと、前記アーム５４の全体が、例えばベーターチタン等の弾力性を有し且つ強度に優れる素材からなる１本の板状を呈する線材を適宜折曲して形成されており、ロウ付け箇所は全く存在しない。
【００３８】
然して、左右のレンズ２，２の内側の縁部分３，３相互を前記ブリッジ５で連結するに際しては、図１１〜１２に示すように、前記ネジ軸２０を前記両挿通孔２１，２２に挿通させると共に前記第１の片１６の挿通孔２１から突出したネジ軸部３５に、例えばナイロン系の樹脂ワッシャ４５を装着して後、該突出したネジ軸部３５を前記内側の縁部分３に設けられている止着孔３２に挿通させる。この状態で、前記第１の片１６が、該樹脂ワッシャ４５を介して前記レンズ２の前側の面２３に当接し且つ前記当接片２７ｂが前記内側の縁部分３の側面２６ｂに当接状態となる。そしてこの状態で、前記折り返し部１５は図１０に示すと同様の自由状態にあって、その溝部１９の溝幅はその溝底３７からその開放端３９に向けて稍拡がっている。
【００３９】
その後、該レンズ２の後側の面３３から突出したネジ軸部３５に、例えばナイロン系の樹脂ワッシャ４６を装着すると共に、図１２に示すように、該ネジ軸部（ネジ軸２０の端部分）３５にナット３６を螺合し締め付ける。前記と同様に、四角形状の座繰り４１に四角形状の頭部３０が嵌め入れられているため、該ナット３６を締め付ける際にネジ軸２０が回り止めされる。該ナット３６を締め付けるに伴い、前記第２の片１７の先端２９が前記第１の片１６に向けて接近されることにより、前記折り返し部１５が、前記溝部１９の溝幅を小さくするように弾性変形され、最終的には例えば図１２（Ｂ）に示すように、第１、第２の片１６，１７が略平行状態となる。かかる折り返し部１５の弾性変形（即ち、前記ナット３６の締め付け）は、前記第１の片１６の挿通孔２１の径が、該第２の片１７に設けられている挿通孔２２の径よりも稍大きく形成されているために、前記ヨロイ１０に係るレンズ連結装置１について説明したところと同様に、より円滑に行なわれる。
【００４０】
このようにして、図１２（Ａ）に示すように、前記ブリッジ５の両端部１２，１２が前記レンズ２，２の内側の縁部分３，３に連結される。かかる連結に用いる前記ネジ軸２０の長さは、使用するレンズ２の各種厚さに応じられるようにするために比較的長く設定されている。図１２においては、前記ナット３６を締め付けた後に該ナット３６から突出するネジ軸部分２０ａを切除した状態が示されている。この連結状態においては、折り返し部１５が前記のように弾性変形されているため、その弾性復元作用によって、前記ネジ軸２０のネジ面と前記ナット３６のネジ面とが圧接状態となる。それ故、該ナット３６が緩みにくく、前記側面２６ｂに対する前記当接片２７ｂの当接状態が安定的に保持される。従って、前記ブリッジ５の前記レンズ２に対する連結状態に、従来のような当接片２７ｂの当接不良に起因するガタツキが生じず、該当接片２７ｂの回り止め防止作用を安定的に持続させることができる。
【００４１】
又前記ブリッジ５は、従来のように前記当接片に直接に設けられているのではなく、図１０に示すように、該当接片２７ｂが設けられている第１の片１６とは別個の第２の片１７の先端２９に連設されている。かかることから、眼鏡着用時等においてテンプルを拡げた際や着用眼鏡に他物が当って前記ブリッジ５を外側に向けて拡げる等の外力が作用した場合、前記第２の片１７は、前記ネジ軸２０の基端側５９を支点としてそれよりも先側の部分１７ａが変形しても前記第１の片１６は変形しにくい（図１２（Ｂ））。それ故、前記当接片２７ｂがレンズ２に対して無理な押圧力を作用させることがなく、レンズ２が欠けたり割れたりするレンズ損傷を防止できることになる。又、該当接片２７ｂによる当接係合作用が確実に保持されるために前記ブリッジ５の回り止めが確実に図られる。
【００４２】
なお本実施例においては、前記のように、ブリッジ５の端部５０に対する前記第２の片１７の先端２９の連設部分の上の縁部分を下方に向けて切欠して幅狭連結部６３を形成しているため、前記ヨロイ１０を外側に向けて拡げる等の外力が作用したときに、該外力による変形の一部分を該幅狭連結部６３で吸収できることになり、前記先側の部分１７ａの変形をより小さく抑制できることとなる。
【００４３】
図１３〜１４は、前記レンズ２の側面２６ａ，２６ｂに当接される前記当接片２７ａ，２７ｂを設ける構成に代えて、前記第１の片１６に設けた嵌合部２７ｃとしての回り止め防止片２７を、レンズ２の側面２６ａ，２６ｂに欠切形成してなる係合凹部５６に嵌め入れて該端部分１１，１２，１２を回り止めするレンズ連結装置１を示している。又図１５〜１６は、前記第１の片１６の例えば先端側に設けた回り止め軸２７ｄとしての回り止め防止片２７を、前記止着孔３２に隣り合わせて設けた係合孔５７に挿入して該端部分１１，１２，１２を回り止めするレンズ連結装置１を示している。
【００４４】
レンズ連結装置１をこれらのように構成したときも、前記折り返し部１５の弾性復元作用によって前記ナット３６が緩みにくく、前記係合孔５７に対する前記回り止め軸２７ｄの係合状態が安定的に保持される。従って、従来のような当接片の当接不良に基づくガタツキが生じない。又前記ヨロイ１０や前記ブリッジ５は、従来のように前記当接片２７ａ，２７ｂに直接に設けられているのではなく、前記嵌合部２７ｃや前記回り止め軸２７ｄが設けられている第２の片１７とは別個の第１の片１６の先端２９に連設されている。かかることから、眼鏡着用時等においてテンプルを拡げた際や着用眼鏡に他物が当って前記ヨロイ１０を外側に向けて拡げる等の外力が作用した場合、前記と同様、前記第１の片１６は変形しても前記第２の片１７は変形しにくい。それ故、前記当接片２７ｃ，２７ｄがレンズ２に対して無理な押圧力を作用させず、レンズ２が欠けたり割れたりする損傷を防止できることになる。又、前記係合軸部２７ｃや前記回り止め軸２７ｄによる係合作用が確実に保持されるために前記ヨロイ１０や前記ブリッジ５の回り止めが確実に図られる。
【実施例２】
【００４５】
本発明は、前記実施例で示したものに限定されるものでは決してなく、「特許請求の範囲」の記載内で種々の設計変更が可能であることはいうまでもない。その一例を挙げれば次のようである。
【００４６】
(1) 図１７〜１８は、本発明に係るレンズ連結装置１の他の実施例を示すものであり、前記折り返し部１５を構成する、レンズ２に近い前記第１の片１６を、前記樹脂ワッシャ４５を介して前記レンズ２の後側の面３３に当接させ、且つ、該第１の片１６の先端２５に回り止め防止片２７（例えば前記当接片２７ａ）を設ける一方、前記レンズ２から遠い前記第２の片１７の先端２９に前記ヨロイ１０の端部１３又は前記ブリッジ５の端部５０を連設した場合を示すものである。そして前記と同様にして、ネジ軸２０を、前記第１、第２の片１６，１７に設けられている両挿通孔２１，２２に挿通すると共に前記レンズ２の前記縁部分に設けられている止着孔３２に挿通せしめ、該ネジ軸２０の端部分にナット（例えば袋ナット）３６を螺合し締め付けることにより前記折り返し部１５が、前記溝部１９の溝幅を小さくするように弾性変形されるように構成されている。
【００４７】
(2) Ｕ字状乃至Ｖ字状を呈する前記折り返し部１５は、ベータチタン等の弾力性を有する１本の丸線を折曲して形成することもできる。この場合、前記ネジ軸２０を挿通させるための挿通孔２１，２２を設ける部分は、該丸線を潰して扁平に形成するのがよい。
【００４８】
(3) 前記嵌合部２７ｃを嵌め入れるための係合凹部５６をレンズ２の側面２６ａ，２６ｂに欠切する場合、該係合凹部５６は、図１９に示すように、レンズの後面側５９が閉じた有底のものであってもよい。又、前記回り止め軸２７ｄを挿入させる係合孔５７をレンズ２に設ける場合、該係合孔５７は図２０に示すような、底部６０を有する有底のものであってもよい。
【００４９】
(4) 本発明に係るレンズ連結装置１は、前記レンズ２の外側の縁部分６にヨロイ１０を連結するためだけに応用されることがある。又、左右のレンズ２，２の内側の縁部分３，３相互をブリッジ５で連結するためだけに応用されることもある。
図２１は、左右のレンズ２，２の上縁部に架け渡されてなるブローバ６５の両端にテンプル７，７を連結してなる縁無し眼鏡９を構成するに際して、該レンズ連結装置１が、該左右のレンズ２，２の内側の縁部分３，３相互をブリッジ５（例えば、該ブローバ６５の中央部分をなす）で連結するためだけに応用された場合を示すものである。又図２２は、眼鏡本体６６に着脱可能に装着される撥ね上げ式前掛け眼鏡９ａとしての縁無し眼鏡９を構成するに際して、該レンズ連結装置１が、該左右のレンズ２，２の内側の縁部分３，３相互をブリッジ５で連結するためだけに応用された場合を示すものである。又図２３は、左右のレンズ２，２がブリッジ５で一連に連結されてなる縁無し眼鏡９を構成するに際して、該レンズ連結装置１が、ヨロイ１０とレンズ２の連結のためだけに応用された場合を示すものである。
【００５０】
(5) 前記折り返し部１５は一体に構成されるが、該折り返し部１５の第１の片１６に対する前記当接片２７ａ，２７ｂや前記嵌合部２７ｃ、前記回り止め軸２７ｄは、ロウ付けにより設けることもできる。
又、前記折り返し部１５の第２の片１７に対する前記ヨロイ１０や前記ブリッジ５の連設は、ロウ付けによって行なうこともできる。
【００５１】
(6) 前記ネジ軸２０は、レンズ２の前側の面２３側から挿通させることも、レンズ２の後側の面３３から挿通させることもできる。
【符号の説明】
【００５２】
１  レンズ連結装置
２  レンズ
３  内側の縁部分
５  ブリッジ
６  外側の縁部分
７  テンプル
９  縁無し眼鏡
１０  ヨロイ
１３  ヨロイの端部
１５  折り返し部
１６  第１の片
１７  第２の片
１９  溝部
２０  ネジ軸
２１  挿通孔
２２  挿通孔
２７  回り止め防止片
２７ａ  当接片
２７ｂ  当接片
２７ｃ  嵌合部
２７ｄ  回り止め軸
３２  止着孔
３６  ナット
４５  樹脂ワッシャ
４６  樹脂ワッシャ
５６  係合凹部
５７  係合孔
【図１】
2013025182.tif 000003
【図２】
2013025182.tif 000004
【図３】
2013025182.tif 000005
【図４】
2013025182.tif 000006
【図５】
2013025182.tif 000007
【図６】
2013025182.tif 000008
【図７】
2013025182.tif 000009
【図８】
2013025182.tif 000010
【図９】
2013025182.tif 000011
【図１０】
2013025182.tif 000012
【図１１】
2013025182.tif 000013
【図１２】
2013025182.tif 000014
【図１３】
2013025182.tif 000015
【図１４】
2013025182.tif 000016
【図１５】
2013025182.tif 000017
【図１６】
2013025182.tif 000018
【図１７】
2013025182.tif 000019
【図１８】
2013025182.tif 000020
【図１９】
2013025182.tif 000021
【図２０】
2013025182.tif 000022
【図２１】
2013025182.tif 000023
【図２２】
2013025182.tif 000024
【図２３】
2013025182.tif 000025
【図２４】
2013025182.tif 000026
【図２５】
2013025182.tif 000027
【図２６】
2013025182.tif 000028
【図２７】
2013025182.tif 000029
【図２８】
2013025182.tif 000030
【図２９】
2013025182.tif 000031